(57)【要約】【課題】必要な場所に容易且つ迅速に喫煙場所を提供することができるとともに、多数の喫煙者が喫煙しても周囲に煙草の煙が放散してしまうのを防止することができる喫煙車両を提供する。【解決手段】複数の喫煙者が車内で喫煙可能とされた喫煙車両１であって、喫煙者の出入り口５が所定位置に形成され、灰皿７が複数配設されて喫煙可能な空間から成る喫煙空間２と、喫煙により発生する煙草の煙中の粒子を捕捉して除去可能な集塵手段１１、及び集塵手段１１に電力を供給するための２次電池１３が設置された空間から成る集塵空間３とを有し、喫煙空間２内の煙草の煙を集塵空間３に流入させて集塵手段１１で当該煙中の粒子を捕捉及び除去し得るものである。【選択図】図２
2019188832.tif 000002
【特許請求の範囲】
【請求項１】
複数の喫煙者が車内で喫煙可能とされた喫煙車両であって、
喫煙者の出入り口が所定位置に形成され、灰皿が複数配設されて喫煙可能な空間から成る喫煙空間と、
喫煙により発生する煙草の煙中の粒子を捕捉して除去可能な集塵手段、及び前記集塵手段に電力を供給するための２次電池が設置された空間から成る集塵空間と、
を有し、前記喫煙空間内の煙草の煙を前記集塵空間に流入させて前記集塵手段で当該煙中の粒子を捕捉及び除去し得ることを特徴とする喫煙車両。
【請求項２】
前記喫煙空間には、前記灰皿の上方位置で延設され、前記集塵空間の集塵手段に連結されたダクトが取り付けられるとともに、前記ダクトは、前記灰皿に対応する位置に煙草の煙を吸引可能な吸引口が形成されたことを特徴とする請求項１記載の喫煙車両。
【請求項３】
前記喫煙空間内の室温を調整するための空調手段が当該喫煙空間に配設されるとともに、前記空調手段は、前記喫煙空間の出入り口から前記集塵空間に向かう方向に送風可能とされたことを特徴とする請求項１又は請求項２記載の喫煙車両。
【請求項４】
前記喫煙空間の出入り口には、空気を噴出してエアカーテンを形成するエアカーテン形成手段が配設されるとともに、当該エアカーテン形成手段は、前記喫煙空間の出入り口から前記集塵空間に向かう方向に空気を噴出可能とされたことを特徴とする請求項１〜３の何れか１つに記載の喫煙車両。
【発明の詳細な説明】
【技術分野】
【０００１】
本発明は、複数の喫煙者が車内で喫煙可能とされた喫煙車両に関するものである。
【背景技術】
【０００２】
近時の社会的な喫煙環境により、喫煙者は所定の決められた場所で喫煙することが求められており、通常、建物内における喫煙室や屋外の喫煙場所など非喫煙者から隔絶された場所や離れた場所での喫煙が必要とされている。また、建物内の喫煙室や屋外の喫煙場所には、通常、灰皿が設置されており、多数の喫煙者が同時に喫煙することが可能とされている。なお、かかる先行技術は、文献公知発明に係るものでないため、記載すべき先行技術文献情報はない。
【発明の概要】
【発明が解決しようとする課題】
【０００３】
しかしながら、不定期に開催されるイベントや定期的な催し物がある場合、その開催される建物や屋外に喫煙室がないことが多々あり、喫煙者は屋外の喫煙場所で喫煙する必要がある。このような場合、多数の喫煙者が一斉に喫煙することが想定されるので、喫煙により発生した多量の煙が周囲に放散してしまう虞があった。また、イベントや催し物がある場所に臨時で喫煙室を設置することも考えられるが、その場合、喫煙室を設置するための資材や機材等の搬入作業及び組立作業が別途必要となってしまう。
【０００４】
本発明は、このような事情に鑑みてなされたもので、必要な場所に容易且つ迅速に喫煙場所を提供することができるとともに、多数の喫煙者が喫煙しても周囲に煙草の煙が放散してしまうのを防止することができる喫煙車両を提供することにある。
【課題を解決するための手段】
【０００５】
請求項１記載の発明は、複数の喫煙者が車内で喫煙可能とされた喫煙車両であって、喫煙者の出入り口が所定位置に形成され、灰皿が複数配設されて喫煙可能な空間から成る喫煙空間と、喫煙により発生する煙草の煙中の粒子を捕捉して除去可能な集塵手段、及び前記集塵手段に電力を供給するための２次電池が設置された空間から成る集塵空間とを有し、前記喫煙空間内の煙草の煙を前記集塵空間に流入させて前記集塵手段で当該煙中の粒子を捕捉及び除去し得ることを特徴とする。
【０００６】
請求項２記載の発明は、請求項１記載の喫煙車両において、前記喫煙空間には、前記灰皿の上方位置で延設され、前記集塵空間の集塵手段に連結されたダクトが取り付けられるとともに、前記ダクトは、前記灰皿に対応する位置に煙草の煙を吸引可能な吸引口が形成されたことを特徴とする。
【０００７】
請求項３記載の発明は、請求項１又は請求項２記載の喫煙車両において、前記喫煙空間内の室温を調整するための空調手段が当該喫煙空間に配設されるとともに、前記空調手段は、前記喫煙空間の出入り口から前記集塵空間に向かう方向に送風可能とされたことを特徴とする。
【０００８】
請求項４記載の発明は、請求項１〜３の何れか１つに記載の喫煙車両において、前記喫煙空間の出入り口には、空気を噴出してエアカーテンを形成するエアカーテン形成手段が配設されるとともに、当該エアカーテン形成手段は、前記喫煙空間の出入り口から前記集塵空間に向かう方向に空気を噴出可能とされたことを特徴とする。
【発明の効果】
【０００９】
請求項１の発明によれば、喫煙者の出入り口が所定位置に形成され、灰皿が複数配設されて喫煙可能な空間から成る喫煙空間と、喫煙により発生する煙草の煙中の粒子を捕捉して除去可能な集塵手段、及び前記集塵手段に電力を供給するための２次電池が設置された空間から成る集塵空間とを有し、喫煙空間内の煙草の煙を集塵空間に流入させて集塵手段で当該煙中の粒子を捕捉及び除去し得るので、必要な場所に容易且つ迅速に喫煙場所を提供することができるとともに、多数の喫煙者が喫煙しても周囲に煙草の煙が放散してしまうのを防止することができる。
【００１０】
請求項２の発明によれば、喫煙空間には、灰皿の上方位置で延設され、集塵空間の集塵手段に連結されたダクトが取り付けられるとともに、ダクトは、灰皿に対応する位置に煙草の煙を吸引可能な吸引口が形成されたので、喫煙空間内の煙草の煙を確実に吸引して集塵空間に送り込むことができる。
【００１１】
請求項３の発明によれば、喫煙空間内の室温を調整するための空調手段が当該喫煙空間に配設されるとともに、空調手段は、喫煙空間の出入り口から集塵空間に向かう方向に送風可能とされたので、空調手段の送風を利用して煙草の煙を集塵空間側に案内させることができるとともに、喫煙空間の出入り口から煙草の煙が外部に逃げてしまうのを抑制することができる。
【００１２】
請求項４の発明によれば、喫煙空間の出入り口には、空気を噴出してエアカーテンを形成するエアカーテン形成手段が配設されるとともに、当該エアカーテン形成手段は、喫煙空間の出入り口から集塵空間に向かう方向に空気を噴出可能とされたので、エアカーテンを利用して煙草の煙を集塵空間側に案内させることができるとともに、喫煙空間の出入り口から煙草の煙が外部に逃げてしまうのをエアカーテンによってより確実に抑制することができる。
【図面の簡単な説明】
【００１３】
【図１】本発明の実施形態に係る喫煙車両の車内を側方から見た模式図
【図２】同喫煙車両の車内を上方から見た模式図
【図３】同喫煙車両の車内の前方から後方を見た模式図
【図４】同喫煙車両の車内の後方から前方を見た模式図
【図５】同喫煙車両に適用された灰皿を示す模式図
【発明を実施するための形態】
【００１４】
以下、本発明の実施形態について図面を参照しながら具体的に説明する。
本実施形態に係る喫煙車両は、複数の喫煙者が車内で喫煙可能とされたもので、図１〜４に示すように、車内空間が車内前方の仕切壁Ｗ１及び後方の仕切壁Ｗ２にて仕切られることにより形成された喫煙空間２と、集塵空間３と、運転席空間４とを有する。なお、本実施形態に係る喫煙車両１は、左右の前輪Ｔ１及び左右の後輪Ｔ２を有した自動車（マイクロバス、大型バス若しくはトレーラ等含む）から成るものとされているが他の形態の車両から成るものであってもよい。
【００１５】
運転席空間４は、運転席４ａ及び助手席４ｂが配設された車両の前方に位置する空間から成り、仕切壁Ｗ１によって喫煙空間２と仕切られている。そして、運転席４ａに着座した運転手により喫煙車両１が運転可能とされており、喫煙空間を提供すべき任意場所まで走行可能とされている。なお、運転席空間４は、仕切壁Ｗ１にて車両後方の喫煙空間２とは仕切られており、当該喫煙空間２内の煙が運転席空間４に流れ込まないよう構成されているとともに、当該仕切壁Ｗ１に形成された監視窓Ｅ（図４参照）によって喫煙空間２内の様子を目視し得るようになっている。
【００１６】
喫煙空間２は、車内前方の仕切壁Ｗ１と後方の仕切壁Ｗ２との間に形成されるとともに、喫煙者の出入り口５が所定位置に形成され、灰皿７が複数配設されて喫煙可能な空間から成る。本実施形態の出入り口５は、喫煙空間２における車両前方側の位置に形成されるとともに、喫煙しようとする者が開閉扉６を開閉して車内と外部との間を出入り自在とされている。
【００１７】
喫煙空間２内の灰皿７は、車両の前後方向に延設しつつ車室の両側（左右の床面）にそれぞれ固定された灰皿台８に複数取り付けられており、喫煙空間２内の喫煙者が煙草の灰や吸い殻をそれぞれの灰皿７に投入可能とされている。本実施形態に係る灰皿７は、図５に示すように、投入部７ａと、導入部７ｂと、吸い殻案内部７ｃと、収容部７ｄと、蓋部７ｅと、煙案内部７ｆとを有して構成されている。
【００１８】
投入部７ａは、灰皿台８において上方に開口して取り付けられて喫煙により生じた灰や吸い殻を投入可能とされたもので、その下部が導入部７ｂに接続されている。導入部７ｂは、上下がそれぞれ開口した筒状部材から成り、投入部７ａに投入された灰や吸い殻を通過させて収容部７ｄ内に落下させ得るものである。収容部７ｄは、上方が開口した有底の円筒状部材から成り、投入部７ａに投入された灰や吸い殻を収容し得るよう構成されている。
【００１９】
かかる収容部７ｄは、その上部開口と導入部７ｂとの間を封止し得る蓋部７ｅが取り付けられており、収容部７ｄ内に収容された吸い殻から生じた煙が収容部７ｄの上部開口と導入部７ｂとの間から外部に漏れ出ないようになっている。また、導入部７ｂの下部には、当該導入部７ｂの軸方向に対して傾斜して延設された吸い殻案内部７ｃが取り付けられており、投入部７ａに投入されて導入部７ｂを通過した灰や吸い殻を吸い殻案内部７ｃの傾斜方向に案内して落下させ得るよう構成されている。なお、蓋部７ｅは、収容部７ｄの上部に対して脱着可能とされており、収容部７ｄから取り外すことにより、内部に溜まった煙草の灰や吸い殻を取り出して廃棄可能とされている。
【００２０】
一方、収容部７ｄの内部には、煙案内部７ｆが取り付けられている。かかる煙案内部７ｆは、収容部７ｄの軸方向に延びた立設部ｎ１と、立設部ｎ１の上部に一体形成された勾配部ｎ２と、勾配部ｎ２の上部に形成された半球部ｎ３とを有して構成されている。勾配部ｎ２は、その側面が上方に向かって緩やかに傾斜（上方に向かって上り勾配）して形成されており、収容部７ｄの底部から立ち上る煙を側面の傾斜面にて案内し、導入部７ｂに至るのを抑制し得るようになっている。
【００２１】
したがって、消火されない煙草の吸い殻が投入部７ａに投入されて収容部７ｄの底部まで落下して収容されると、そこから立ち上る煙は、煙案内部７ｆの立設部ｎ１の延設方向に沿って上方に流れ、勾配部ｎ２の側面の傾斜面にて案内された後、蓋部７ｅに至った後、下方に流れる（図５中の矢印で示す方向に流れる）こととなる。これにより、煙中に含まれる二酸化炭素等の不活性成分が収容部７ｄの底面にある煙草の吸い殻に至ることとなり、消火が促されることとなる。
【００２２】
また、喫煙空間２には、灰皿７の上方位置で延設されたダクトＤ１が取り付けられている。かかるダクトＤ１は、図１、２に示すように、車両の前後方向に延設しつつ車室の両側（左右天井面）にそれぞれ固定された配管から成り、灰皿７に対応する位置に煙草の煙を吸引可能な吸引口Ｄａが形成されている。そして、ダクトＤ１は、それぞれ集塵空間３まで延設されており、吸引口Ｄａで吸引された煙が集塵空間３まで流れるようになっている。また、喫煙空間２と集塵空間３とを仕切る仕切壁Ｗ２には、図３に示すように、煙草の煙を吸引可能な吸引孔Ｈが形成されており、喫煙空間２内の煙が吸引孔Ｈを介して集塵空間３まで流れるようになっている。
【００２３】
これらダクトＤ１及び吸引孔Ｈは、それぞれ集塵空間３内に配設されたダクトＤ２に接続されるとともに、当該ダクトＤ２が集塵空間３内の集塵手段１１に接続されている。すなわち、ダクトＤ１及び吸引孔Ｈは、ダクトＤ２を介して集塵手段１１と連結されており、喫煙空間２内の煙草の煙が集塵手段１１に導入されるようになっている。また、ダクトＤ２には、ブロワ等の負圧発生手段Ｐが接続されており、当該負圧発生手段Ｐを駆動することにより、ダクトＤ１の吸引口Ｄａ及び吸引孔Ｈに吸引力を発生させるよう構成されている。
【００２４】
集塵空間３は、仕切壁Ｗ２にて仕切られ喫煙空間２に対して車両後方に位置する空間から成り、喫煙により発生する煙草の煙中の粒子を捕捉して除去可能な集塵手段１１、集塵手段１１を通過した空気を清浄化する清浄機１２、及び集塵手段１１に電力を供給するための２次電池１３等が設置されている。２次電池１３は、集塵手段１１及び清浄機１２に電力を供給し得る電源から成り、放電及び充電が可能なバッテリ（鉛蓄電池等）にて構成されている。
【００２５】
集塵手段１１は、既述のように、ダクトＤ２と接続されて喫煙空間２内の煙が導入されるとともに、例えば導入された煙に対して電圧を印加して帯電させ、煙中の粒子（特に、有害成分を含む粒子）を電気的に吸着して取り除くことが可能とされている。また、清浄機１２は、例えば活性炭等を有し、集塵手段１１から排出された空気が当該活性炭中を通過することにより清浄化されるよう構成されている。
【００２６】
そして、集塵手段１１及び清浄機１２にて清浄化された空気は、ダクトＤ３にて車外に放出されるようになっている。このように、本実施形態に係る喫煙車両によれば、喫煙空間２内の煙草の煙を集塵空間３に流入させて集塵手段１１及び清浄機１２にて当該煙中の粒子（有害成分を含む粒子）を捕捉及び除去することができ、清浄化された空気を車外に放出することができる。
【００２７】
ここで、本実施形態に係る喫煙車両１は、喫煙空間２内の室温を調整するための空調手段９が当該喫煙空間２に配設されるとともに、空調手段９は、喫煙空間２の出入り口５から集塵空間３に向かう方向に送風可能とされている。具体的には、空調手段９は、仕切壁Ｗ１に取り付けられたエアコン（エアーコンディショナー）から成り、冷気や暖気を伴った空気を車両後方（集塵空間３側）に向かって送風することにより喫煙空間２内の室温を調整し得るようになっている。
【００２８】
また、喫煙空間２の出入り口５には、空気を噴出してエアカーテンを形成するエアカーテン形成手段１０が配設されるとともに、当該エアカーテン形成手段１０は、喫煙空間２の出入り口５から集塵空間３に向かう方向に空気を噴出してエアカーテンを形成可能とされている。すなわち、出入り口５をエアカーテンで覆うことにより、開閉扉６が開いた状態において喫煙空間２の煙が車外に流出するのを防止することができるとともに、エアカーテンが集塵空間３（車両後方）に向かう方向に噴出した空気にて形成されるので、喫煙空間２内の煙を集塵空間３に向かって流動させることができる。
【００２９】
本実施形態に係る喫煙車両１によれば、喫煙者の出入り口５が所定位置に形成され、灰皿７が複数配設されて喫煙可能な空間から成る喫煙空間２と、喫煙により発生する煙草の煙中の粒子を捕捉して除去可能な集塵手段１１、清浄機１２及び集塵手段１１に電力を供給するための２次電池１３が設置された空間から成る集塵空間３とを有し、喫煙空間２内の煙草の煙を集塵空間３に流入させて集塵手段１１及び清浄機１２で当該煙中の粒子を捕捉及び除去し得るので、必要な場所に容易且つ迅速に喫煙場所を提供することができるとともに、多数の喫煙者が喫煙しても周囲に煙草の煙が放散してしまうのを防止することができる。
【００３０】
また、喫煙空間２には、灰皿７の上方位置で延設され、集塵空間３の集塵手段１１に連結されたダクトＤ１が取り付けられるとともに、ダクトＤ１は、灰皿７に対応する位置に煙草の煙を吸引可能な吸引口Ｄａが形成されたので、喫煙空間２内の煙草の煙を確実に吸引して集塵空間３に送り込むことができる。さらに、喫煙空間２内の室温を調整するための空調手段９が当該喫煙空間２に配設されるとともに、空調手段９は、喫煙空間２の出入り口５から集塵空間３に向かう方向に送風可能とされたので、空調手段９の送風を利用して煙草の煙を集塵空間３側に案内させることができるとともに、喫煙空間２の出入り口５から煙草の煙が外部に逃げてしまうのを抑制することができる。
【００３１】
またさらに、喫煙空間２の出入り口５には、空気を噴出してエアカーテンを形成するエアカーテン形成手段１０が配設されるとともに、当該エアカーテン形成手段１０は、喫煙空間２の出入り口５から集塵空間に向かう方向に空気を噴出可能とされたので、エアカーテンを利用して煙草の煙を集塵空間３側に案内させることができるとともに、喫煙空間２の出入り口５から煙草の煙が外部に逃げてしまうのをエアカーテンによってより確実に抑制することができる。
【００３２】
以上、本実施形態について説明したが、本発明はこれに限定されず、例えば集塵空間３内において清浄機１２を配設せず集塵手段１１のみ配設するようにしてもよい。また、喫煙空間２には、空調手段９に代えて或いは共に、扇風機やサーキュレータ等を配設するようにしてもよい。なお、喫煙空間２内に芳香剤や消臭剤等の成分を放出する機器等を設置するようにしてもよい。
【産業上の利用可能性】
【００３３】
喫煙者の出入り口が所定位置に形成され、灰皿が複数配設されて喫煙可能な空間から成る喫煙空間と、喫煙により発生する煙草の煙中の粒子を捕捉して除去可能な集塵手段、及び集塵手段に電力を供給するための２次電池が設置された空間から成る集塵空間とを有し、喫煙空間内の煙草の煙を集塵空間に流入させて集塵手段で当該煙中の粒子を捕捉及び除去し得る喫煙車両であれば、外観形状が異なるもの或いは他の機能が付加されたもの等にも適用することができる。
【符号の説明】
【００３４】
１  喫煙車両
２  喫煙空間
３  集塵空間
４  運転席空間
５  出入り口
６  開閉扉
７  灰皿
８  灰皿台
９  空調手段
１０  エアカーテン形成手段
１１  集塵手段
１２  清浄機
１３  ２次電池
Ｐ  負圧発生手段
Ｔ１  前輪
Ｔ２  後輪
Ｗ１、Ｗ２  仕切壁
Ｈ  吸引孔
【図１】
2019188832.tif 000003
【図２】
2019188832.tif 000004
【図３】
2019188832.tif 000005
【図４】
2019188832.tif 000006
【図５】
2019188832.tif 000007